(57)【要約】【課題】店舗入口に設置した送風機や照明器具への取り付けが容易であり、取り付けにより店舗内への虫の侵入や陳列商品への虫の接近を防止できる虫除けシートの提供。【解決手段】虫除けシートＢは、虫に対して忌避効果が有る忌避剤を担持した、紙製のシート本体２の裏面に面ファスナー２１を取り付け、コンビニエンスストアー入口に設置した送風機１２の羽根車１４を包囲する前ガード１５の飾り板１６に装着して使用する。これにより、虫の接近や店内への虫の侵入を防止できる。【選択図】図２
2007143462.tif 000002
【特許請求の範囲】
【請求項１】
店舗入口に設置した送風機の羽根車を包囲する前ガードや店舗の陳列商品を照らす照明器具のケーシングに装着して虫の接近を防ぐ虫除けシートであって、
蛾、蚊、蠅等の虫に対して忌避効果が有る忌避剤を担持した、スポンジや紙製のシート本体の裏面に、フックとループの噛み合わせにより貼着する面ファスナー、円板磁石、またはクリップを取り付けたことを特徴とする虫除けシート。
【請求項２】
店舗入口に設置した送風機の羽根車を包囲する前ガードと、この前ガードに被せられる防護ネットとの間に装着して虫の接近を防ぐ通気性を有する虫除けマットであって、
蛾、蚊、蠅等の虫に対して忌避効果が有る忌避剤と、該忌避剤の有効忌避期間と同じ期間のあいだ香りを発散させる芳香剤とを担持させたことを特徴とする虫除けマット。
【請求項３】
店舗入口に設置した送風機の羽根車を包囲する前ガードの飾円板や店舗の陳列商品を照らす照明器具のケーシングに貼着して虫の接近を防ぐ紙製の虫除けシールであって、
蛾、蚊、蠅等の虫に対して防虫効果が有る忌避剤を担持した紙体の裏面に、前記忌避剤の有効期間と同じ期間のあいだ接着性を維持する接着層を形成したことを特徴とする虫除けシール。
【請求項４】
複数枚のリボンからなり、店舗入口に設置した送風機の羽根車を包囲する前ガードに取り付けて虫の店舗内への侵入を防ぐ吹き流しであって、
蛾、蚊、蠅等の虫に対して忌避効果が有る忌避剤を前記リボンに担持させたことを特徴とする吹き流し。
【請求項５】
店舗の入口近傍に吊り下げて虫の接近を防ぐ虫除け用風鈴であって、
蛾、蚊、蠅等の虫に対して忌避効果が有る忌避剤を短冊に担持させたことを特徴とする虫除け用風鈴。
【請求項６】
イベント内容が記載され、店舗の屋外側のガラス面に貼着され、夜間、照明器具の光が当たる虫除け用ポスターであって、
イベント期間を、蛾、蚊、蠅等の虫に対して忌避効果が有る忌避剤の有効忌避期間と同じに設定したことを特徴とする虫除け用ポスター。
【発明の詳細な説明】
【技術分野】
【０００１】
本発明は、夜間も営業を行う店舗への適用に好適な、虫除けシート、虫除けマット、虫除けシール、吹き流し、虫除け用風鈴、および虫除け用ポスターに関する。
【背景技術】
【０００２】
うちわや扇子の絵柄に忌避剤を含有させた虫除け用扇ぎ具が知られている（特許文献１）。
【特許文献１】実用新案登録第３１０７２９５号公報
【発明の開示】
【発明が解決しようとする課題】
【０００３】
コンビニエンスストアーは、照明を付けて夜間も営業を行う必要がある。
特に夏期には、蛾、蚊、蠅等の虫が、店舗内や、商品を陳列した冷蔵庫内に侵入する虞がある。蛾、蚊、蠅等の虫が店舗等に侵入することは、客に不快感を与えるとともに、衛生上、良くない。
なお、特許文献１の虫除け用扇ぎ具では、店舗等への虫の侵入を防ぐことはできない。  
【０００４】
本発明の第１の目的は、店舗入口に設置した送風機や照明器具への取り付けが容易であり、取り付けにより店舗内への虫の侵入や陳列商品への虫の接近を防止できる虫除けシートの提供にある。
【０００５】
本発明の第２の目的は、店舗入口に設置した送風機への装着が容易であり、装着により店舗内への虫の侵入を防止できる虫除けマットの提供にある。
【０００６】
本発明の第３の目的は、店舗内への虫の侵入や陳列商品への虫の接近を防止でき、且つ、防止効果の終了時期が容易に判る虫除けシールの提供にある。
【０００７】
本発明の第４の目的は、店舗入口に設置した送風機へ違和感無く取り付けることができ、これにより、店舗内への虫の侵入を防止できる吹き流しの提供にある。
【０００８】
本発明の第５の目的は、店舗の入口近傍に吊り下げて虫の接近を防ぐ虫除け用風鈴の提供にある。
【０００９】
本発明の第６の目的は、店舗の屋外側のガラス面に貼着され、夜間、照明器具の光が当たる虫除け用ポスターの提供にある。
【課題を解決するための手段】
【００１０】
〔請求項１について〕
虫除けシートは、スポンジや紙製のシート本体に、蛾、蚊、蠅等の虫に対して忌避効果が有る忌避剤を担持している。
この虫除けシートのシート本体の裏面には、フックとループの噛み合わせにより貼着する面ファスナー、円板磁石、またはクリップを取り付けている。このため、店舗入口に設置した送風機の羽根車を包囲する前ガードや店舗の陳列商品を照らす照明器具のケーシングに虫除けシートを容易に装着することができる。
【００１１】
送風機の前ガードに虫除けシートを装着した場合には、送風機が起こす気流により忌避剤が拡散する。また、照明器具のケーシングに装着した場合には、照明器具が発生する熱により忌避剤が気化して拡散する。
店舗入口に設置した送風機や照明器具へ虫除けシートを装着することにより、店舗内への虫の侵入や陳列商品への虫の接近を防止できる。
【００１２】
なお、虫除けシートのシート本体が紙製の場合には、送風機の前ガードの飾板に面ファスナーや円板磁石で装着したり、照明器具のケーシングに面ファスナーや円板磁石で装着する。また、虫除けシートのシート本体がスポンジの場合には、送風機の前ガードにクリップで装着したり、照明器具のケーシングに面ファスナーや円板磁石で装着する。
【００１３】
〔請求項２について〕
通気性を有する虫除けマットは、蛾、蚊、蠅等の虫に対して忌避効果が有る忌避剤と、忌避剤の有効忌避期間と同じ期間のあいだ香りを発散させる芳香剤とを担持させている。  この虫除けマットは、店舗入口に設置した送風機の羽根車を包囲する前ガードと、この前ガードに被せられる防護ネットとの間に装着する。
【００１４】
羽根車を包囲する前ガードと防護ネットとの間に虫除けマットを装着しているので忌避剤が高濃度で拡散する。このため、店舗入口への虫の接近や、店舗内への虫の侵入を防ぐことができる。
【００１５】
この様な送風機の風を通過させるタイプの虫除けマットは、送風機の稼働時間や送風強度の違いにより有効忌避期間がバラつくので、交換時期が判り難い。しかし、虫除けマットは、忌避剤の有効忌避期間と同じ期間のあいだ芳香剤が香りを発散する構成であるので、忌避剤の有効忌避期間の終了時点を店舗の店員が容易に把握できる。なお、有効忌避期間が終了すると、古い虫除けマットを新しい虫除けマットに取り替える。
【００１６】
〔請求項３について〕
紙製の虫除けシールは、蛾、蚊、蠅等の虫に対して忌避効果が有る忌避剤を担持した紙体の裏面に、忌避剤の有効忌避期間と同じ期間のあいだ接着性を維持する接着層を形成している。接着層の経時接着特性は、店舗入口（屋外）に設置した送風機の飾円板に虫除けシールを貼り付ける場合には、例えば、空気中の酸素による酸化や受けた紫外線量等により制御する。また、店舗の陳列商品を照らす照明器具のケーシングに虫除けシールを貼着する場合には、例えば、空気中の酸素による酸化や照明器具が出す特定の波長の光線の受光量等により制御する。
この虫除けマットを、店舗入口に設置した送風機の羽根車前を包囲する前ガードの飾円板や、店舗の陳列商品を照らす照明器具のケーシングに貼着する。
【００１７】
前ガードの飾円板や照明器具のケーシングに虫除けシールを貼着している。このため、照明器具が発生する熱により忌避剤が気化して拡散するので、店舗や陳列商品庫への虫の侵入を防止できる。
製造時期や使用開始時期を把握していないと、人間には無臭である虫除けシールが、有効忌避期間内であるのか、既に有効忌避期間が終了しているかを判定することは困難である。
【００１８】
虫除けシールは、忌避剤の有効忌避期間が終了すると、接着層の接着性が失われて脱落するので、忌避剤の有効忌避期間の終了時点を店舗の店員が容易に把握できる。なお、有効忌避期間が終了して脱落した場合には、新しい虫除けシールを新たに貼る。
【００１９】
〔請求項４について〕
複数枚のリボンからなる吹き流しは、蛾、蚊、蠅等の虫に対して忌避効果が有る忌避剤をリボンに担持させている。
各リボンを、店舗入口に設置した送風機の羽根車を包囲する前ガードに取り付けることにより、送風機が起こす気流に忌避剤が拡散して虫の接近を防ぐことができ、店舗への虫の侵入を防止できる。
なお、リボンに忌避剤を担持させた吹き流しを、店舗入口に設置した送風機へ、違和感無く取り付けることができる。
【００２０】
〔請求項５について〕
虫除け用風鈴は、蛾、蚊、蠅等の虫に対して忌避効果が有る忌避剤を短冊に担持させている。この虫除け用風鈴を、店舗の入口近傍に吊り下げることにより、虫の接近を防ぐことができ、店舗内への虫の侵入を防止できる。
【００２１】
〔請求項６について〕
イベント内容を記載した虫除け用ポスターは、蛾、蚊、蠅等の虫に対して忌避効果が有る忌避剤を担持している。
この虫除け用ポスターは、店舗の屋外側のガラス面に貼着され、夜間、照明器具の光が当たっている。
虫除け用ポスターを店舗の屋外側のガラス面に貼着することにより、虫の接近を防ぐことができ、店舗内への虫の侵入を防止できる。
【００２２】
製造時期や使用開始時期を把握していないと、人間には無臭である忌避剤が、有効忌避期間内であるのか、既に有効忌避期間が終了しているかを臭いで判定することは困難である。
しかし、虫除け用ポスターは、イベント期間を、忌避剤の有効忌避期間と同じに設定しているので、イベント期間が終了した時点（忌避剤の有効忌避期間も終了）で虫除け用ポスターを店舗の店員が剥がせば良い。
【発明を実施するための最良の形態】
【００２３】
虫除けシールは、蛾、蚊、蠅等の虫に対して防虫効果が有る忌避剤を担持した紙体の裏面に、忌避剤の有効期間と同じ期間のあいだ接着性を維持する接着層を形成している。
この虫除けシールは、店舗入口に設置した送風機の羽根車を包囲する前ガードの飾円板や店舗の陳列商品を照らす照明器具のケーシングに貼着する。
【００２４】
虫除けシールは、忌避剤の有効忌避期間が終了すると、接着層の接着性が失われて脱落するので、新しい虫除けシールを新たに貼る。
前ガードの飾円板や照明器具のケーシングに虫除けシールを貼着することにより、店舗や陳列商品庫への虫の侵入を防止できる。なお、虫除けシールの製造時期や使用開始時期を書き留めておく必要がない。
【実施例１】
【００２５】
本発明の実施例１（請求項１に対応）を図１に基づいて説明する。
虫除けシートＡは、シート本体１（紙製）の裏面に円板磁石１１を取り付けている。
シート本体１は、若干の通気性を有する円形の紙を複数枚、積層してなり、紙間にゲル状の忌避剤を挟んでいる。
忌避剤は、蛾、蚊、蠅等の虫に対して忌避効果が有る薬剤であり、数十日〜数カ月の間、徐々に放出される。実施例１では、忌避剤はフィトンチッドを採用しているが、その他、ジエチルトルアミド、ＭＧＫ−１１、ＭＧＫ−３２６等でも良い。
【００２６】
円板磁石１１は、シート本体１の裏面に接着剤で貼り付けられている。
送風機１２は、大型の業務用であり、脚１３と、羽根車１４と、羽根車１４を包囲する前ガード１５および後ガードとを有する。前ガード１５は、円形の飾板１６（鉄製）と、飾板１６から放射状に拡がる複数の骨棒１７とを有し、コンビニエンスストアーの入口近傍に設置されている。そして、虫除けシートＡが円板磁石１１により前ガード１５の飾板１６に着脱可能に取り付けられる。
【００２７】
実施例１の虫除けシートＡは、以下の利点を奏する。
円板磁石１１により、コンビニエンスストアーの入口近傍に設置した送風機１２の前ガード１５の飾板１６に虫除けシートＡを当てがうことにより、虫除けシートＡを飾板１６へ容易に装着することができる。
送風機１２が起こす気流および気流に乗って拡散する忌避剤により、コンビニエンスストアー入口の近傍への虫（蛾、蚊、蠅等）の接近およびコンビニエンスストアー内への侵入を防止することができる。
【００２８】
円板磁石１１を採用しているので、有効期間が過ぎて効力が無くなった虫除けシートＡを手で捲って容易に新しいものと交換することができる。また、虫の侵入対策が不要な場合（冬期）には虫除けシートＡを手で捲って飾板１６から簡単に外すことができ、虫の侵入対策が必要な場合（夏期）には虫除けシートＡを飾板１６へ容易に装着することができる。
【実施例２】
【００２９】
つぎに、本発明の実施例２（請求項１に対応）を図２に基づいて説明する。
虫除けシートＢは、シート本体２（紙製）の裏面に、フック側の面ファスナー２１を接着剤で貼着し、ループ側の面ファスナー２２を飾板１６の表面に接着剤で貼着している。  シート本体２は、若干の通気性を有する円形の紙を複数枚、積層してなり、紙間にゲル状の忌避剤を挟んでいる。忌避剤は、虫除けシートＡと同様、フィトンチッドを採用しているが、その他、ジエチルトルアミド、ＭＧＫ−１１、ＭＧＫ−３２６等でも良い。
送風機１２は、実施例１と同様のものである。
【００３０】
実施例２の虫除けシートＢは、以下の利点を奏する。
シート本体２の裏面のフック側の面ファスナー２１と、飾板１６のループ側の面ファスナー２２との噛み合わせにより、コンビニエンスストアーの入口近傍に設置した送風機１２の前ガード１５の飾板１６に容易に装着することができる。
【００３１】
送風機１２が起こす気流および気流に乗って拡散する忌避剤により、コンビニエンスストアー入口の近傍への虫（蛾、蚊、蠅等）の接近およびコンビニエンスストアー内への侵入を防止することができる。
【００３２】
面ファスナー２１、２２を採用しているので、有効期間が過ぎて効力が無くなった虫除けシートＢを手で引き剥がして容易に新しいものと交換することができる。また、虫の侵入対策が不要な場合（冬期）には、フック側の虫除けシートＢを手で引き剥がして飾板１６から簡単に外すことができ、虫の侵入対策が必要な場合（夏期）には、フック側の虫除けシートＢを飾板１６へ押し付けて容易に装着することができる。
【実施例３】
【００３３】
つぎに、本発明の実施例３（請求項１に対応）を図３に基づいて説明する。
虫除けシートＣは、送風機１２の風が通過可能な通気性を有するスポンジであり、忌避剤を担持させている。
忌避剤は、虫除けシートＡ、Ｂと同様、フィトンチッドを採用しているが、その他、ジエチルトルアミド、ＭＧＫ−１１、ＭＧＫ−３２６等でも良い。
【００３４】
送風機１２は、実施例１と同様のものであり、脚１３と、羽根車１４と、羽根車１４を包囲する前ガード１５および後ガードとを有する。前ガード１５は、円形の飾板１６（鉄製）と、飾板１６から放射状に拡がる複数の骨棒１７とを有する。そして、虫除けシートＣがクリップ３１により前ガード１５の骨棒１７に着脱可能に取り付けられる。
【００３５】
実施例３の虫除けシートＣは、以下の利点を奏する。
シート本体３の裏面に取り付けたクリップ３１で前ガード１５の骨棒１７を挟めば、コンビニエンスストアーの入口近傍に設置した送風機１２の前ガード１５に虫除けシートＣを容易に装着することができる。
【００３６】
送風機１２が起こす気流が虫除けシートＣを通過し、忌避剤が気流に乗って拡散するので、コンビニエンスストアー入口の近傍への虫（蛾、蚊、蠅等）の接近およびコンビニエンスストアー内への侵入を防止することができる。
【００３７】
有効期間が過ぎて効力が無くなった虫除けシートＣを、クリップ３１の締め付けを緩めて外し、新しいものと容易に交換することができる。また、虫の侵入対策が不要な場合（冬期）には虫除けシートＣを骨棒１７から簡単に外すことができ、虫の侵入対策が必要な場合（夏期）には虫除けシートＣを骨棒１７へ容易に装着することができる。
【実施例４】
【００３８】
つぎに、本発明の実施例４（請求項２に対応）を図４に基づいて説明する。
虫除けマットＤは、送風機１２の風が通過可能な通気性を有するスポンジであり、忌避剤と芳香剤とをスポンジ中に担持させている。
送風機１２は、他の実施例と同様のものであり、脚１３と、羽根車１４と、羽根車１４を包囲する前ガード１８および後ガードとを有し、コンビニエンスストアーの入口近傍に設置されている。送風機１２の前ガード１５は、円形の飾板１６（鉄製）と、飾板１６から放射状に拡がる複数の骨棒１７とを有する。
前ガード１５には、伸縮性の網材で形成した防護ネット１８が被せられている。防護ネット１８は、幼児、子供、ペット等の悪戯防止を図るものである。
【００３９】
虫除けマットＤは、前ガード１５の曲面に対応した皿形状を呈し、送風機１２の前ガード１５と、防護ネット１８との間に挟んで装着される。なお、虫除けマットＤは、上記皿形状以外に、下辺を互いに接続した複数の曲面三角形を平面状に展開したものを装着時に皿形状に直すものであっても良い。
この虫除けマットＤには、蛾、蚊、蠅等の虫に対して忌避効果が有る忌避剤と、この忌避剤の有効忌避期間と同じ期間のあいだ香りを発散させる芳香剤とを担持させている。忌避剤は、他の実施例と同様のフィトンチッドを採用しているが、その他、ジエチルトルアミド、ＭＧＫ−１１、ＭＧＫ−３２６等でも良い。
【００４０】
実施例４の虫除けシートＤは、以下の利点を奏する。
送風機１２の前ガード１５と防護ネット１８との間に虫除けシートＤを装着している。  このため、スポンジである虫除けマットＤを送風機１２の風が通過し、送風機１２が起こす気流に乗って忌避剤が高濃度で拡散するので、コンビニエンスストアー入口の近傍への虫（蛾、蚊、蠅等）の接近およびコンビニエンスストアー内への侵入を防止することができる。
【００４１】
この様な、送風機の風を通過させるタイプの虫除けマットは、送風機の稼働時間や送風強度の違いにより有効忌避期間がバラつくので、交換時期が判り難い。しかし、虫除けシートＤは、忌避剤の有効忌避期間と同じ期間のあいだ芳香剤が香りを発散する構成であるので、忌避剤の有効忌避期間の終了時点を、芳香剤の香りの有無により店員が容易に把握でき、適正な取替時期を知ることができる。なお、有効忌避期間が終了（芳香剤が香りを出さなくなる）した際には、古い虫除けシートＤを撤去し、密封梱包を破って新しい虫除けシートＤを取り出して取り替える。
【実施例５】
【００４２】
つぎに、本発明の実施例５（請求項３に対応）を図５に基づいて説明する。
虫除けシールＥは、紙体４の裏面に接着層４１を形成し、この接着層４１を剥離紙４２で保護している。
紙体４は、若干の通気性を有する円形の紙を複数枚、積層してなり、紙間にゲル状の忌避剤を挟んでいる。忌避剤は、蛾、蚊、蠅等の虫に対して忌避効果が有る薬剤であり、数十日〜数カ月の間、徐々に放出される。実施例５では、忌避剤はフィトンチッドを採用しているが、その他、ジエチルトルアミド、ＭＧＫ−１１、ＭＧＫ−３２６等でも良い。
【００４３】
送風機１２は、大型の業務用であり、脚１３と、羽根車１４と、羽根車１４を包囲する前ガード１５および後ガードとを有する。前ガード１５は、円形の飾板１６と、飾板１６から放射状に拡がる複数の骨棒１７とを有し、コンビニエンスストアーの入口近傍に設置されている。
【００４４】
そして、剥離紙４２を取り除いて接着層４１を露出させた虫除けシールＥが前ガード１５の飾板１６に貼り付けられる。なお、接着層４１は、忌避剤の有効期間と同じ期間のあいだ接着性を維持する様に、経時接着特性が調整されている。
【００４５】
実施例５の虫除けシールＥは、以下の利点を奏する。
剥離紙４２を取り除いて接着層４１を露出させれば、コンビニエンスストアーの入口近傍に設置した送風機１２の前ガード１５の飾板１６に虫除けシールＥを簡単に貼り付けることができる。
【００４６】
送風機１２が起こす気流および気流に乗って拡散する忌避剤により、コンビニエンスストアー入口の近傍への虫（蛾、蚊、蠅等）の接近およびコンビニエンスストアー内への侵入を防止することができる。
【００４７】
接着層４１は、忌避剤の有効期間と同じ期間のあいだ接着性を維持する様に、経時接着特性が調整されている。このため、有効期間が終了して効力が無くなった虫除けシールＥの接着層４１の接着性が失われて脱落するので、忌避剤の有効忌避期間の終了時点を店舗の店員が容易に把握できる。なお、有効忌避期間が終了して脱落した場合には、新たに新しい虫除けシールＥを飾板１６に貼る。
【実施例６】
【００４８】
つぎに、本発明の実施例６（請求項３に対応）を図６に基づいて説明する。
虫除けシールＦは、紙体５の裏面に接着層５１を形成し、この接着層５１を剥離紙５２で保護している。
紙体５は、若干の通気性を有する長方形の紙を積層してなり、紙間にゲル状の忌避剤を挟んでいる。忌避剤は、蛾、蚊、蠅等の虫に対して忌避効果が有る薬剤であり、数十日〜数カ月の間、徐々に放出される。実施例６では、忌避剤はフィトンチッドを採用しているが、その他、ジエチルトルアミド、ＭＧＫ−１１、ＭＧＫ−３２６等でも良い。
【００４９】
５３は、コンビニエンスストアーの内壁面に設置した冷蔵庫のドアの上部内側に配設した蛍光灯（照明器具）であり、冷蔵庫内のペットボトルや飲料缶（陳列商品）を照らしている。そして、剥離紙５２を取り除いて接着層５１を露出させた虫除けシールＦが、蛍光灯５３の、反射板を兼ねたケーシング５４の内側上面に貼り付けられる。なお、接着層５１は、忌避剤の有効期間と同じ期間のあいだ接着性を維持する様に、経時接着特性が調整されている。
【００５０】
実施例６の虫除けシールＦは、以下の利点を奏する。
剥離紙５２を取り除いて接着層５１を露出させれば、コンビニエンスストアーの内壁面に設置した冷蔵庫のドアの上部内側に配設した蛍光灯５３の、反射板を兼ねたケーシング５４の内側上面に虫除けシールＦを簡単に貼り付けることができる。
【００５１】
接着層５１は、忌避剤の有効期間と同じ期間のあいだ接着性を維持する様に、経時接着特性が調整されている。このため、有効期間が終了して効力が無くなった虫除けシールＦの接着層５１の接着性が失われて脱落するので、忌避剤の有効忌避期間の終了時点を店舗の店員が容易に把握できる。なお、有効忌避期間が終了して脱落した場合には、新たに新しい虫除けシールＦをケーシング５４の内側上面に貼る。
【００５２】
蛍光灯５３の、反射板を兼ねたケーシング５４の内側上面に虫除けシールＦを貼着している。このため、蛍光灯５３が発生する熱により忌避剤が気化して拡散するので冷蔵庫（陳列商品庫）への虫の侵入を防止できる。
【実施例７】
【００５３】
つぎに、本発明の実施例７（請求項４に対応）を図７に基づいて説明する。
吹き流しＧは、忌避剤を担持させた複数枚のリボン６をクリップ（図示せず）で取付けたものである。この吹き流しＧは、コンビニエンスストアーの入口近傍に設置した送風機１２の前ガード１５の骨棒１７にクリップで係止されている。
【００５４】
リボン６は、若干の通気性を有する長方形の紙であり、忌避剤を担持させている。忌避剤は、蛾、蚊、蠅等の虫に対して忌避効果が有る薬剤であり、数十日〜数カ月の間、徐々に放出される。実施例７では、忌避剤はフィトンチッドを採用しているが、その他、ジエチルトルアミド、ＭＧＫ−１１、ＭＧＫ−３２６等でも良い。
【００５５】
送風機１２は、大型の業務用であり、脚１３と、羽根車１４と、羽根車１４を包囲する前ガード１５および後ガードとを有する。前ガード１５は、円形の飾板１６と、飾板１６から放射状に拡がる複数の骨棒１７とを有し、コンビニエンスストアーの入口近傍に設置されている。
【００５６】
実施例７の吹き流しＧは、以下の利点を奏する。
吹き流しＧを、コンビニエンスストアーの入口近傍に設置した送風機１２の前ガード１５の骨棒１７に取り付けることにより、送風機１２が起こす気流に乗って忌避剤が拡散する。これにより、入口への虫の接近を防ぐことができ、コンビニエンスストアー内への虫の侵入を防止できる。
なお、リボン６に忌避剤を担持させているので、コンビニエンスストアーの入口近傍に設置した送風機１２へ吹き流しＧを違和感無く取り付けることができる。
【実施例８】
【００５７】
つぎに、本発明の実施例８（請求項５に対応）を図８に基づいて説明する。
風鈴Ｈは、ガラス製の音発生体７１と、紐７２と、紐７２の途中に取り付けられる重り７３と、紐７２の下端に取り付けられる風受体（短冊）７４とからなり、コンビニエンスストアーの入口近傍の、雨に濡れにくい場所に複数個、吊り下げられている。
【００５８】
音発生体７１は、内部が空洞で下面が開口する釣り鐘状を呈する。また、音発生体７１の外壁には、涼しさを感じさせる絵柄（金魚、花火、川等）が描かれている。
重り７３は、金属製の球であり、音発生体７１の開口近傍の空洞内に臨む様に、紐７２に取り付けられている。
【００５９】
風受体７４は、若干の通気性を有する長方形の紙であり、忌避剤が担持されている。忌避剤は、蛾、蚊、蠅等の虫に対して忌避効果が有る薬剤であり、数十日〜数カ月の間、徐々に放出される。実施例７では、忌避剤はフィトンチッドを採用しているが、その他、ジエチルトルアミド、ＭＧＫ−１１、ＭＧＫ−３２６等でも良い。
なお、風が風受体７４に当たると、風受体７４が揺れて紐７２が動き、重り７３が揺さぶられて音発生体７１に当たり、音が出る。
【００６０】
実施例８の風鈴Ｈは、以下の利点を奏する。
風鈴Ｈは、蛾、蚊、蠅等の虫に対して忌避効果が有る忌避剤を風受体７４に担持させている。この風鈴Ｈを、コンビニエンスストアーの入口近傍に吊り下げることにより、虫の接近を防ぐことができ、店内への虫の侵入を防止できる。
【実施例９】
【００６１】
つぎに、本発明の実施例９（請求項６に対応）を図９に基づいて説明する。
虫除け用ポスターＩは、若干の通気性を有する長方形のシート８（紙製）を積層してなり、シート間にゲル状の忌避剤を挟んでいる。忌避剤は、他の実施例と同様、フィトンチッドを採用しているが、その他、ジエチルトルアミド、ＭＧＫ−１１、ＭＧＫ−３２６等でも良い。
【００６２】
虫除け用ポスターＩは、コンビニエンスストアーの入口近傍の屋外側のガラス面８１に貼着され、夜間、照明器具８２の光が当たる様になっている。
この虫除け用ポスターＩの表面には、イベントの内容８３、８４が印刷されており、イベント期間を、蛾、蚊、蠅等の虫に対して忌避効果が有る忌避剤の有効忌避期間と同じに設定している。
【００６３】
実施例９の虫除け用ポスターＩは、以下の利点を奏する。
虫除け用ポスターＩをコンビニエンスストアーの入口近傍の屋外側のガラス面８１に貼着することにより、虫（蛾、蚊、蠅等）の接近を防ぐことができ、店内への虫の侵入を防止できる。
製造時期や使用開始時期を把握していないと、人間には無臭である忌避剤が、有効忌避期間内であるのか、既に有効忌避期間が終了しているかを臭いで判定することは困難である。しかし、虫除け用ポスターＩは、イベント期間を、忌避剤の有効忌避期間と同じに設定しているので、イベント期間が終了した時点（忌避剤の有効忌避期間も終了）で虫除け用ポスターＩを店員が剥がせば良い。
【図面の簡単な説明】
【００６４】
【図１】本発明の実施例１に係る虫除けシートの構造および使用例を示す説明図である。
【図２】本発明の実施例２に係る虫除けシートの構造および使用例を示す説明図である。
【図３】本発明の実施例３に係る虫除けシートの構造および使用例を示す説明図である。
【図４】本発明の実施例４に係る虫除けマットの構造および使用例を示す説明図である。
【図５】本発明の実施例５に係る虫除けシールの構造および使用例を示す説明図である。
【図６】本発明の実施例６に係る虫除けシールの構造および使用例を示す説明図である。
【図７】本発明の実施例７に係る吹き流しの構造および使用例を示す説明図である。
【図８】本発明の実施例８に係る風鈴の構造および使用例を示す説明図である。
【図９】本発明の実施例９に係る虫除け用ポスターの構造および使用例を示す説明図である。
【符号の説明】
【００６５】
１  シート本体
４  紙体
６  リボン
１１  円板磁石
１５  前ガード
１８  防護ネット
２１、２２  面ファスナー
４１  接着層
５４  ケーシング
Ａ、Ｂ、Ｃ  虫除けシート
Ｄ  虫除けマット
Ｅ  虫除けシール
Ｈ  風鈴（虫除け用風鈴）
Ｉ  虫除け用ポスター
【図１】
2007143462.tif 000003
【図２】
2007143462.tif 000004
【図３】
2007143462.tif 000005
【図４】
2007143462.tif 000006
【図５】
2007143462.tif 000007
【図６】
2007143462.tif 000008
【図７】
2007143462.tif 000009
【図８】
2007143462.tif 000010
【図９】
2007143462.tif 000011